(57)【要約】【課題】文字、記号、図形等が明確に識別されて表示することが可能な蛍光ランプ及びこの蛍光ランプが装着された照明装置を提供する。【解決手段】蛍光ランプ１は、ガラスバルブ２と、ガラスバルブ２内の両端部に封装された一対の電極５と、ガラスバルブ２の内面に対向するように塗布された発光色の異なる第１の蛍光体層３１及び第２の蛍光体層３２とを備えている。第１の蛍光体層３１又は第２の蛍光体層３２の一部が除去されて形成された文字、記号、図形等の表示部４を備えている。【選択図】図１
2013251054.tif 000002
【特許請求の範囲】
【請求項１】
ガラスバルブと；
ガラスバルブ内の両端部に封装された一対の電極と；
ガラスバルブの内面に対向するように塗布された発光色の異なる第１の蛍光体層及び第２の蛍光体層と；
第１の蛍光体層又は第２の蛍光体層の一部が除去されて形成された文字、記号、図形等の表示部と；
を具備していることを特徴とする蛍光ランプ。
【請求項２】
ガラスバルブと；
ガラスバルブ内の両端部に封装された一対の電極と；
ガラスバルブの内面に塗布された第１の蛍光体層と；
ガラスバルブの内面であって、文字、記号、図形等を形成する輪郭内に第１の蛍光体層とは発光色の異なる第２の蛍光体層が塗布された塗布領域と、この塗布領域の周囲に形成された蛍光体層が除去された除去領域とから構成された表示部と；
を具備していることを特徴とする蛍光ランプ。
【請求項３】
ガラスバルブと；
ガラスバルブ内の両端部に封装された一対の電極と；
ガラスバルブの内面に形成された反射膜と；
反射膜に積層された蛍光体層と；
ガラスバルブの内面であって、文字、記号、図形等を形成する輪郭内に蛍光体層が塗布された塗布領域と、この塗布領域の周囲に形成された反射膜及び蛍光体層が除去された除去領域とから構成された表示部と；
を具備していることを特徴とする蛍光ランプ。
【請求項４】
ガラスバルブと；
ガラスバルブ内の両端部に封装された一対の電極と；
ガラスバルブの内面に塗布される赤色発光形蛍光体、緑色発光形蛍光体及び青色発光形蛍光体を含む三波長発光形の蛍光体であって、これらの内の１種又は２種の混合の蛍光体により形成された第１の蛍光体層と；
この第１の蛍光体層に積層され、前記三波長発光形の蛍光体であって、第１の蛍光体層とは異なる種類の１種又は２種の混合の蛍光体により形成された第２の蛍光体層と；
第１の蛍光体層の一部が除去されて形成された文字、記号、図形等の表示部と；
を具備していることを特徴とする蛍光ランプ。
【請求項５】
照明装置本体と；
この本体に装着された請求項２乃至請求項４のいずれか一に記載の蛍光ランプと；
この蛍光ランプを点灯する点灯装置と；
を具備していることを特徴とする照明装置。
【発明の詳細な説明】
【技術分野】
【０００１】
本発明の実施形態は、文字、記号、図形等の表示部を形成した蛍光ランプ及びこの蛍光ランプが装着された照明装置に関する。
【背景技術】
【０００２】
光源としての蛍光ランプには、直管形、環形やコンパクト形などの形式があり、一般照明用として広く用いられている。
【０００３】
ところで、このような蛍光ランプに文字、記号、図形等を表示して例えば、広告用や装飾用のランプとして用いる場合がある。この場合、ガラス管の内面に第１層目の蛍光体を塗布し乾燥した後、第１層目の蛍光体を所望の表示形状に剥離し、第２層目として第１層目とは異なる光源色の蛍光体を塗布することにより、文字等を表示する蛍光ランプが知られている。
【０００４】
この表示は、第１層目の蛍光体を剥離した部分は、第２層目に塗布した蛍光体の発光が得られ、第１層目の蛍光体が剥離されずに残っている部分とは異なる光源色で発光することにより行われる。
【先行技術文献】
【特許文献】
【０００５】
【特許文献１】特開２００４−３１１０３９号公報
【発明の概要】
【発明が解決しようとする課題】
【０００６】
しかしながら、上記のような蛍光ランプでは、第１層目の蛍光体を剥離した部分において、主として第１層目の蛍光体の発光が視認され、第２層目の蛍光体における光源色の異なる発光はほとんど視認できず、文字等の表示の識別が困難となる結果が生じる。
【０００７】
これは、上記のような蛍光ランプを試作して確認した結果であり、第１層目の蛍光体と第２層目の蛍光体とが積層されている部分においては、両者の発光色が混ざり合ってしまい、この混色された発光色と第２層目の蛍光体の発光色とが近似して文字等の表示の識別がしにくくなっているものと考えられる。
【０００８】
本発明は、上記課題に鑑みなされたもので、文字、記号、図形等が明確に識別されて表示することが可能な蛍光ランプ及びこの蛍光ランプが装着された照明装置を提供することを目的とする。
【課題を解決するための手段】
【０００９】
本発明の実施形態による蛍光ランプは、ガラスバルブと、ガラスバルブ内の両端部に封装された一対の電極と、ガラスバルブの内面に対向するように塗布された発光色の異なる第１の蛍光体層及び第２の蛍光体層とを備えている。
また、第１の蛍光体層又は第２の蛍光体層の一部が除去されて形成された文字、記号、図形等の表示部を備えている。
【発明の効果】
【００１０】
本発明の実施形態によれば、文字、記号、図形等が明確に識別されて表示することが可能な蛍光ランプ及びこの蛍光ランプが装着された照明装置を提供することができる。
【図面の簡単な説明】
【００１１】
【図１】本発明の第１の実施形態に係る蛍光ランプの一部を断面で示す正面図である。
【図２】図１中、Ａ−Ａ線に沿って切断して示す斜視図である。
【図３】図１中、Ｂ−Ｂ線に沿って切断して示す斜視図である。
【図４】同蛍光ランプの製作工程の概要を示す斜視図である。
【図５】同じく、蛍光ランプの製作工程の概要を示し、レーザ加工の工程を示す斜視図である。
【図６】同蛍光ランプの変形例を示す図１に相当する正面図である。
【図７】本発明の第２の実施形態に係る蛍光ランプの一部を断面で示す正面図である。
【図８】同蛍光ランプの製作工程の概要を示す斜視図である。
【図９】本発明の第３の実施形態に係る蛍光ランプの一部を断面で示す正面図である。
【図１０】同蛍光ランプの製作工程の概要を示す斜視図である。
【図１１】本発明の第４の実施形態に係る蛍光ランプの一部を断面で示す正面図である。
【図１２】同蛍光ランプの製作工程の概要を示す斜視図である。
【発明を実施するための形態】
【００１２】
以下、本発明の第１の実施形態について図１乃至図６を参照して説明する。図１乃至図３は、蛍光ランプを示し、図４及び図５は、蛍光ランプの製作工程（主として表示部の形成工程）の概要をガラスバルブの一部によって示している。また、図６は、蛍光ランプの変形例を示している。
【００１３】
図１乃至図３に示すように蛍光ランプ１は、直管形の蛍光ランプである。蛍光ランプ１は、ガラスバルブ２と、蛍光体層３と、表示部４と、電極５と、口金６とを備えている。
【００１４】
ガラスバルブ２は、透光性であり、ソーダライムガラス等の軟質ガラスにより長尺状に形成され、軸方向の両端部には、一対のガラス製のステム２１が気密的に設けられている。
【００１５】
なお、ガラスバルブ２は、ソーダライムガラス等の軟質ガラスにより形成されるが、ほうケイ酸ガラスや石英ガラス等の硬質ガラスによって形成される場合であってもよい。
【００１６】
蛍光体層３は、第１の蛍光体層３１と第２の蛍光体層３２とを備えている。第１の蛍光体層３１は、ガラスバルブ２の内面における周方向の半分程度の範囲において略全長にわたって塗布形成されている。一方、第２の蛍光体層３２は、第１の蛍光体層３１と対向するように、第１の蛍光体層３１と同様に、ガラスバルブ２の内面における周方向の半分程度の範囲において略全長にわたって塗布形成されている。
【００１７】
第１の蛍光体層３１と第２の蛍光体層３２とは、発光色が異なる蛍光体が用いられている。例えば、第１の蛍光体層３１には、昼光色に発光する蛍光体が用いられ、第２の蛍光体層３２には、電球色に発光する蛍光体が用いられている。
【００１８】
具体的には、第１の蛍光体層３１及び第２の蛍光体層３２は、三波長発光形の蛍光体から形成されていて、赤色発光形蛍光体、緑色発光形蛍光体及び青色発光形蛍光体のそれぞれの蛍光体微粒子を混合して加色混光により白色発光を生じるように構成されている。
【００１９】
この場合、第１の蛍光体層３１と第２の蛍光体層３２とは、赤色発光形蛍光体、緑色発光形蛍光体及び青色発光形蛍光体のそれぞれの混合比を変えて、昼光色、電球色の異なる発光色を得るように構成している。
【００２０】
なお、ガラスバルブ２の内面と蛍光体層３との間に保護膜を介在させてもよい。保護膜としては金属酸化物微粒子から構成したものが好適であり、金属酸化物微粒子には、アルミナ（Ａｌ２Ｏ３）やシリカ（ＳｉＯ２）等を用いることができる。
【００２１】
また、ガラスバルブ２の内部には、放電媒体として希ガスと水銀とが封入されている。希ガスには、本実施形態においては、アルゴン（Ａｒ）が用いられているが、ネオン（Ｎｅ）又はクリプトン（Ｋｒ）を混合して封入してもよい。
【００２２】
水銀は、液体水銀を封入するか、又は液体水銀に略近い水銀蒸気圧特性を示すアマルガム、例えば、Ｚｎ−ＨｇやＴｉ−Ｈｇ系のアマルガムとして封入する。アマルガムとして封入する場合には、ペレット状に成形したり、金属板にアマルガムを担持させたりすることができる。
【００２３】
表示部４は、ガラスバルブ２に形成された文字、記号、図形等が表示される部分である。この表示部４は、レーザ加工によって第１の蛍光体層３１が剥離され除去されて形成されていて、例えば、「ＴＯＳＨＩＢＡ」の文字が表示されるようになっている。なお、表示部４は、限定的に解釈されるものではない。文字、記号、図形と指称されるものに限らず、例えば、絵柄、模様、マーク等と指称されるものが含まれる。
表示部４の構成について、図４及び図５を参照してその形成工程とともに詳細に説明する。
まず、図４（ａ）に示すように、ガラスバルブ２の内面に第１の蛍光体層３１と第２の蛍光体層３２とが対向するように蛍光体を塗布し、焼成する。
【００２４】
次いで、図４（ｂ）に示すように、文字に相当する部分の第１の蛍光体層３１をレーザ加工によって剥離する。したがって、文字に相当する部分、つまり、「ＴＯＳＨＩＢＡ」の部分は、第１の蛍光体層３１が除去された部分となっている。
【００２５】
詳しくは、図５に示すように、レーザ加工には、例えば、ＹＶＯ４レーザ加工装置１０が用いられる。レーザ加工装置１０は、レーザ光源１１と、集光光学系１２と、ワーク載置台１３とを備えている。
【００２６】
まず、ワーク載置台１３上の所定位置に、第１の蛍光体層３１及び第２の蛍光体層３２が塗布、焼成されたガラスバルブ２を、表示部４を形成する蛍光体層、本実施形態では第１の蛍光体層３１側を上にしてセットする。
【００２７】
レーザ光源１１から発振されたレーザ光は、集光光学系１２を経た後、ガラスバルブ２上で集光するように構成されている。また、レーザ加工装置１０には、予め表示する文字、記号、図形等の加工データが入力されており、所定の出力に従ってレーザ光をガラスバルブ２の外面から照射する。
【００２８】
レーザ光は、ガラスバルブ２を透過し、予め入力された加工データに従った軌跡を実行し、ガラスバルブ２の内面に塗布された第１の蛍光体層３１を剥離する。すなわち、「ＴＯＳＨＩＢＡ」の文字に相当する第１の蛍光体層３１が剥離され、表示部４が形成される。
【００２９】
表示部４が形成された後、ガラスバルブ２内に放電媒体が封入され、封止、排気工程を経て、口金６がガラスバルブ２両端部に取付けられる。なお、表示部４の形成は、ガラスバルブ２内に放電媒体が封入され、封止、排気工程の終了後に行うことも可能である。
【００３０】
このように形成された表示部４は、蛍光ランプ１の点灯中、文字に相当する第１の蛍光体層３１が剥離されているので、第１の蛍光体層３１と対向する第２の蛍光体層３２の発光色が表示部４を透過して視認されることとなる。すなわち、表示部４は、第２の蛍光体層３２の発光色が間接的に反映されて黄色系に光り、その周囲は、第１の蛍光体層３１の発光色が反映されて白色系に光ることとなる。その結果、文字等が明確に識別されて表示される。
【００３１】
なお、表示部４の面積、すなわち、文字に相当する第１の蛍光体層３１を剥離する面積は、第１の蛍光体層３１の面積を１００％とした場合、２０〜４０％であることが好ましい。このように設定することにより文字等が一層明確に識別されて表示される。第１の蛍光体層３１を剥離する面積が２０％未満及び４０％を超えると、文字等が目立たなく、識別性が低下する虞がある。
【００３２】
電極５は、タングステンワイヤを巻回して形成されたコイル状のフィラメントであり、コイル状部分に電子放射性物質が被着されている熱陰極形のフィラメント電極である。
【００３３】
電極５は、ガラスバルブ２の内部に放電を生起するように、ガラスバルブ２内の両端部に一対封装されている。具体的には、電極５は、ステム２１を気密的に貫通してガラスバルブ２内に導入された一対の内部導入線４１の先端部間に架設するように配設され、その両端部が内部導入線４１にクランプされて保持されている。
【００３４】
口金６は、Ｇ１３型であり、口金本体６１及び一対の口金ピン６２を備えている。口金本体６１は、キャップ状をなしていて、ガラスバルブ２両端部に接着されている。一対の口金ピン６２は、口金本体６１に互いに絶縁的に支持されているとともに、それぞれ図示しない外部導入線に接続されている。
【００３５】
以上のように構成された蛍光ランプ１を点灯すると、放電媒体の放電により紫外線が発生し、発生した紫外線が蛍光体層３に照射されることにより、蛍光体層３中の蛍光体が励起されて可視光を放射する。この場合、第１の蛍光体層３１からは白色系の光が放射され、第２の蛍光体層３２からは黄色系の光が放射され、これらの放射光はガラスバルブ２を透過して外部に導出される。
【００３６】
したがって、文字、記号、図形等が表示される表示部４は、第１の蛍光体層３１と対向する発光色の異なる第２の蛍光体層３２によって黄色に光り、その周囲は白色に光り、文字等が明確に識別されるように表示される。
【００３７】
なお、上記実施形態においては、表示部４の形成に際し、文字、記号、図形等に相当する第１の蛍光体層３１の部分を剥離し、除去する場合について説明したが、図６に示すように、文字、記号、図形等に相当する周囲の第１の蛍光体層３１を例えば、略長方形状に剥離するようにしてもよい。
【００３８】
したがって、図６に示す形態では、文字、記号、図形等を形成する輪郭内には、第１の蛍光体層３１が塗布されており、その周囲の略長方形状の部分は、第１の蛍光体層３１が剥離されている状態となっている。
【００３９】
このため、蛍光ランプ１を点灯すると、文字、記号、図形等は、第１の蛍光体層３１によって白色系に光り、その周囲の略長方形状の部分は、対向する第２の蛍光体層３２の発光色が反映されて黄色系に光り、文字等が明確に識別されて表示されるようになる。
【００４０】
次に、本発明の第２の実施形態について図７及び図８を参照して説明する。図７は、蛍光ランプを示し、図８は、蛍光ランプの製作工程（主として表示部の形成工程）の概要をガラスバルブの一部によって示している。なお、第１の実施形態と同一又は相当部分には同一符号を付し重複する説明は省略する。
本実施形態と第１の実施形態とは、蛍光ランプ１の基本的構成に共通性を有しているが、表示部４の構成が異なっている。
【００４１】
本実施形態は、ガラスバルブ２の内面に第１の蛍光体層３１が塗布されていて、表示部４は、文字、記号、図形等を形成する輪郭内に第１の蛍光体層３１とは発光色の異なる第２の蛍光体層３２が塗布された塗布領域３５と、この塗布領域３５の周囲に形成された蛍光体層３が除去された除去領域３６とから構成されている。例えば、第１の蛍光体層３１には、昼光色に発光する蛍光体が用いられ、第２の蛍光体層３２には、赤色に発光する蛍光体が用いられている。
表示部４の構成について、詳しくは、図８を参照してその形成工程とともに説明する。
【００４２】
まず、図８（ａ）に示すように、ガラスバルブ２の内面における全周の範囲において略全長にわたって第１の蛍光体層３１を形成するため、蛍光体を塗布し、焼成する。次いで、文字に相当する部分の第１の蛍光体層３１をレーザ加工によって剥離する。したがって、「ＴＯＳＨＩＢＡ」の文字の部分は、第１の蛍光体層３１が除去された部分となっている。
【００４３】
続いて、図８（ｂ）に示すように、ガラスバルブ２の内面における文字に相当する部分を含んで、長手方向に沿って帯状に第２の蛍光体層３２を塗布し、焼成する。この状態においては、文字に相当する部分は第１の蛍光体層３１が除去されているので、第２の蛍光体層３２が１層対応している。
【００４４】
その後、図８（ｃ）に示すように、文字に相当する部分「ＴＯＳＨＩＢＡ」の周囲の第１の蛍光体層３１及び第２の蛍光体層３２をレーザ加工によって例えば、略長方形状に剥離して除去する。
【００４５】
したがって、文字を形成する輪郭内には第２の蛍光体層３２が塗布されて塗布領域３５が形成され、この塗布領域３５の周囲は蛍光体層３（第１の蛍光体層３１及び第２の蛍光体層３２）が除去された除去領域３６が形成されている。
【００４６】
このように構成された蛍光ランプ１を点灯すると、文字は、第２の蛍光体層３２によって赤色に光り、その周囲の略長方形状の部分は、蛍光体層３がないため第１の蛍光体層３１の発光色が間接的に反映されてやや白色系に光り、文字等が明確に識別されて表示されるようになる。
【００４７】
次に、本発明の第３の実施形態について図９及び図１０を参照して説明する。図９は、蛍光ランプを示し、図１０は、蛍光ランプの製作工程（主として表示部の形成工程）の概要をガラスバルブの一部によって示している。なお、第１の実施形態と同一又は相当部分には同一符号を付し重複する説明は省略する。
本実施形態と第１の実施形態とは、蛍光ランプ１の基本的構成に共通性を有しているが、表示部４の構成が異なっている。
【００４８】
本実施形態は、ガラスバルブ２の内面に半透光性の反射膜８が形成され、この反射膜８の上に蛍光体層３が塗布され積層されている。表示部４は、文字、記号、図形等を形成する輪郭内に蛍光体層３が塗布された塗布領域３５と、この塗布領域３５の周囲に形成された反射膜８及び蛍光体層３が除去された除去領域３６とから構成されている。
【００４９】
図９に示すように、ガラスバルブ２の内面における全周の範囲において略全長にわたって金属酸化物微粒子から構成された保護膜７が形成されている。また、同様に、全周で略全長にわたって保護膜７の上に反射膜８が形成され、さらに、反射膜８の上に蛍光体層３が塗布され積層されて三層構成となっている。
【００５０】
反射膜８の構成物質としては、酸化チタン（ＴｉＯ２）やアルミナ（Ａｌ２Ｏ３）の微粒子を用いることができる。また、蛍光体層３には、例えば、昼光色に発光する蛍光体を用いることができる。
表示部４の構成について、詳しくは、図１０を参照してその形成工程とともに説明する。
【００５１】
まず、図１０（ａ）に示すように、ガラスバルブ２の内面における全周の範囲において略全長にわたって保護膜７を形成する。続いて、図１０（ｂ）に示すように、保護膜７の上に反射膜８を形成する。
【００５２】
その後、図１０（ｃ）に示すように、反射膜８の上に蛍光体層３を塗布し、焼成する。次いで、文字に相当する部分「ＴＯＳＨＩＢＡ」の周囲の保護膜７、反射膜８及び蛍光体層３の三層をレーザ加工によって例えば、略長方形状に剥離して除去する。
【００５３】
したがって、文字を形成する輪郭内には保護膜７、反射膜８及び蛍光体層３の三層が形成されて塗布領域３５が形成され、この塗布領域３５の周囲は前記三層が除去された除去領域３６が形成されている。
【００５４】
このように構成された蛍光ランプ１を点灯すると、文字は、反射膜８が介在する蛍光体層３によってやや輝度の低い白色系に光り、その周囲の略長方形状の部分は、保護膜７、反射膜８及び蛍光体層３がないため、蛍光体層３による白色の光が反射膜８によって当該部分に集中化されて効率的に照射され明るく照らされる。したがって、文字等が明確に識別されて表示されるようになる。
【００５５】
なお、本実施形態において、保護膜７は形成することが好ましいが必要不可欠な構成要素ではない。また、形成工程が複雑化する可能性はあるが、文字を形成する輪郭内には蛍光体層３のみを形成するようにしてもよい。
【００５６】
次に、本発明の第４の実施形態について図１１及び図１２を参照して説明する。図１１は、蛍光ランプを示し、図１２は、蛍光ランプの製作工程（主として表示部の形成工程）の概要をガラスバルブの一部によって示している。なお、第１の実施形態と同一又は相当部分には同一符号を付し重複する説明は省略する。
本実施形態と第１の実施形態とは、蛍光ランプ１の基本的構成に共通性を有しているが、表示部４の構成が異なっている。
【００５７】
本実施形態は、ガラスバルブ２の内面に塗布される赤色発光形蛍光体、緑色発光形蛍光体及び青色発光形蛍光体を含む三波長発光形の蛍光体であって、これらの内の１種又は２種の蛍光体の混合により第１の蛍光体層３１を形成する。また、第１の蛍光体層３１に積層され第１の蛍光体層３１とは異なる種類の１種又は２種の蛍光体の混合により第２の蛍光体層３２を形成する。
文字、記号、図形等の表示部４は、第１の蛍光体層３１の一部が除去されて形成されている。
【００５８】
三波長発光形の蛍光体としては、例えば、６１０ｎｍ付近にピーク波長を有する赤色発光形蛍光体としてＹ２Ｏ３：Ｅｕ３＋、５４０ｎｍ付近にピーク波長を有する緑色発光形蛍光体として（Ｌａ，Ｃｅ，Ｔｂ）ＰＯ４、４５０ｎｍ付近にピーク波長を有する青色発光形蛍光体としてＢａＭｇ２Ａｌ１６Ｏ２７：Ｅｕ２＋、等が適用可能である。この蛍光体の具体的種類は格別限定されるものではない。
表示部４の構成について、詳しくは、図１２を参照してその形成工程とともに説明する。
【００５９】
まず、図１２（ａ）に示すように、ガラスバルブ２の内面における全周の範囲において略全長にわたって、三波長発光形の蛍光体の３種の内、例えば、赤色発光形蛍光体及び緑色発光形蛍光体の２種を混合した蛍光体を第１の蛍光体層３１RGとして塗布し、焼成する。
【００６０】
その後、文字に相当する部分の第１の蛍光体層３１RGをレーザ加工によって剥離する。したがって、文字に相当する「ＴＯＳＨＩＢＡ」の部分は、第１の蛍光体層３１RGが除去された部分となる。
次いで、図１２（ｂ）に示すように、青色発光形蛍光体を第２の蛍光体層３２Bとして第１の蛍光体層３１RGの上に塗布し、焼成して積層する。
【００６１】
したがって、文字に相当する「ＴＯＳＨＩＢＡ」の部分は、青色発光形蛍光体の第２の蛍光体層３２Bのみが塗布され、他の周囲の領域は、第１の蛍光体層３１RG及び第２の蛍光体層３２B が塗布され、つまり、三波長発光形の蛍光体の３種が塗布される状態となる。
【００６２】
このように構成された蛍光ランプ１を点灯すると、文字は、第２の蛍光体層３２Bによって青色に光り、他の周囲の領域は、三波長発光形の蛍光体の３種の混合比に制御されて所定の白色系の光源色によって照らされる。したがって、文字等が明確に識別されて表示されるようになる。
【００６３】
なお、上記実施形態においては、第１の蛍光体層３１RGを赤色発光形蛍光体及び緑色発光形蛍光体の２種を混合した蛍光体によって形成し、第２の蛍光体層３２Bを青色発光形蛍光体の１種の単色の蛍光体によって形成する場合について説明したが、例えば、第１の蛍光体層３１を赤色発光形蛍光体の１種の単色の蛍光体によって形成し、第２の蛍光体層３２Bを緑色発光形蛍光体及び青色発光形蛍光体の２種を、比率を調整し混合した蛍光体によって形成するようにしてもよい。
【００６４】
また、文字に相当する部分「ＴＯＳＨＩＢＡ」の周囲の第１の蛍光体層３１をレーザ加工によって略長方形状などに剥離して除去し、表示部４を形成するようにしてもよい。
【００６５】
この場合には、例えば、文字に相当する部分及び略長方形状の外周の領域に第１の蛍光体層３１及び第２の蛍光体層３２が塗布され、文字の周囲における略長方形状の内側には第２の蛍光体層３２が塗布されている状態となる。なお、第１の蛍光体層３１と第２の蛍光体層３２との蛍光体の発光色に基づく種類は特段限定されるものではない。
【００６６】
次に、図示は省略するが、上記各実施形態の蛍光ランプ１は、照明装置に装着され使用される。照明装置は、例えば、壁面に取付け可能な蛍光灯器具であり、装置本体を有していて、この装置本体における両端部には、ランプソケットが対向して設けられている。これらランプソケット間には蛍光ランプ１が電気的、かつ機械的に装着されるようになっている。また、装置本体内には、蛍光ランプ１を点灯する点灯装置が収納されている。
点灯装置に電力が供給され蛍光ランプ１を点灯させると、蛍光ランプ１には、表示部４によって文字等が明確に識別されて表示されるようになる。
【００６７】
以上のように本実施形態によれば、文字、記号、図形等が明確に識別されて表示することが可能な蛍光ランプ１及びこの蛍光ランプ１が装着された照明装置を提供することができる。
【００６８】
なお、本発明は、上記各実施形態の構成に限定されることなく、発明の要旨を逸脱しない範囲で種々の変形が可能である。また、上記各実施形態は、一例として提示したものであり、発明の範囲を限定することは意図していない。
【００６９】
例えば、ガラスバルブは、直管状及び曲管状のいずれであってもよい。曲管状としては、Ｕ字状、ダブルＵ字状、Ｌ字状、コ字状、環状、半円環状など種々の形状を採用することができる。
【符号の説明】
【００７０】
１・・・蛍光ランプ、２・・・ガラスバルブ、
３・・・蛍光体層、４・・・表示部、
５・・・電極、６・・・口金、
７・・・保護膜、８・・・反射膜、
１０・・・レーザ加工装置、１１・・・レーザ光源、
１２・・・集光光学系、１３・・・ワーク載置台、
３１・・・第１の蛍光体層、３２・・・第２の蛍光体層
３５・・・塗布領域、３６・・・除去領域
【図１】
2013251054.tif 000003
【図２】
2013251054.tif 000004
【図３】
2013251054.tif 000005
【図４】
2013251054.tif 000006
【図５】
2013251054.tif 000007
【図６】
2013251054.tif 000008
【図７】
2013251054.tif 000009
【図８】
2013251054.tif 000010
【図９】
2013251054.tif 000011
【図１０】
2013251054.tif 000012
【図１１】
2013251054.tif 000013
【図１２】
2013251054.tif 000014